(57)【特許請求の範囲】
【請求項１】
筐体と、
前記筐体内部に配置され、所定面積の発光領域が形成されているＥＬ発光体と、
前記ＥＬ発光体の発光領域からの出射光を受けて、当該出射光を少なくとも前記筐体外部に導出する光導出領域が形成されている文字盤と、
前記ＥＬ発光体を立設する方向に挿入して保持する保持体と、
前記保持体に設ける係合部を前記筐体に設ける被係合部に着脱可能に係合させるとともに、前記保持体に形成する規制部で高さ方向の位置を規制し、前記ＥＬ発光体の発光領域と前記文字盤の光導出領域とを合致させた状態で保持するように前記保持体を前記筐体内に案内する案内手段と
を有する照明付き時計。
【発明の詳細な説明】
【０００１】
【発明の属する技術分野】
本発明は、暗所でも表示時刻を認識できる照明付き時計に関する。
【０００２】
【従来の技術】
暗所でも表示時刻を容易に認識可能とするために、例えば文字盤面等を明るくすることができる照明付き時計が、近年数多く見受けられるようになった。
一般にこの種の時計としては、時計本体内部から文字盤面に光を照射するよう構成したもの、あるいは文字盤または指針に螢光塗料を塗布し、外部からの光を集光して文字盤面を浮かびあがらせるように構成したもの等様々な種類がある。
【０００３】
また最近では、小さな電力で発光し、かつ、発光ダイオード（ＬＥＤ）に比べて広い発光面積を得ることが可能なエレクトロルミネッセンス（ＥＬ）素子を用いたＥＬ発光体を利用した照明付き時計が多く見られるようになっている。
【０００４】
図５は、時計本体へのＥＬ発光体および文字盤の取り付けを説明するための図、図６は、文字盤とＥＬ発光体とがずれた状態を説明するための図である。
図５に示すように、従来の照明付き時計１００におけるＥＬ発光体１１０は、前側筐体１２０に対して、ムーブメント１３０の指針回転軸１４０の周縁部の溝部１２０ａ内に貼付された両面テープ１５０を介して取り付けられている。
また文字盤１６０は、両面テープ１５０によって固定されたＥＬ発光体１１０を溝部１２０ａとの間に挟み込むようにして前側筐体１２０に固定される。
なお、本照明付き時計１００では、ＥＬ発光体１１０を溝部１２０ａの外形に沿って取り付ければ、ＥＬ発光体１２０の文字盤１６０に対する位置決めが成されるように構成されている。
【０００５】
【発明が解決しようとする課題】
しかしながら、ＥＬ発光体１１０を溝部１２０ａの外形に合わせながら両面テープ１５０に貼付させていく作業は、専門的でかつ高い作業精度が要求されるため、ＥＬ発光体１１０の貼付位置が少しでもずれてしまうと、図６に示すように、ＥＬ発光体１１０の文字盤１６０に対する取り付け位置にずれが生じる恐れがある。つまり、上述したＥＬ発光体１１０の位置決め作業は、作業性が著しく悪く、効率的作業とは言えないのが現状である。
【０００６】
また、上述した位置決め作業では、ＥＬ発光体１１０が両面テープ１５０に接着されたときにＥＬ発光体１１０が固定されることになるから、一旦図６に示すようなＥＬ発光体１１０と文字盤１６０との位置ずれが発生すると、それを修正することは極めて困難である。
【０００７】
さらに、ＥＬ発光体１１０と文字盤１６０とが位置ずれした照明付き時計１００は、ＥＬ発光体１１０からの光が十分に文字盤１６０の内部に伝達されないから、文字盤１６０の領域全体からの光量が少なくなり、また、外観的な見栄えも悪くなる。このため、品質上の観点からみても多くの問題を抱えている。
【０００８】
本発明は、上述した事情に鑑みてなされたものであり、その目的は、容易に組み立てることができ、しかも発光量が豊かでかつ外観品質に優れた照明付き時計を提供することにある。
【０００９】
【問題を解決するための手段】
上記目的を達成するため、本発明の照明付き時計は、筐体と、前記筐体内部に配置され、所定面積の発光領域が形成されているＥＬ発光体と、前記ＥＬ発光体の発光領域からの出射光を受けて、当該出射光を少なくとも前記筐体外部に導出する光導出領域が形成されている文字盤と、前記ＥＬ発光体を立設する方向に挿入して保持する保持体と、前記保持体に設ける係合部を前記筐体に設ける被係合部に着脱可能に係合させるとともに、前記保持体に形成する規制部で高さ方向の位置を規制し、前記ＥＬ発光体の発光領域と前記文字盤の光導出領域とを合致させた状態で保持するように前記保持体を前記筐体内に案内する案内手段とを有する。
【００１０】
また、本発明の照明付き時計の案内手段は、好適には、前記筐体に対して装着可能に設けられ、前記筐体への装着方向に沿う方向に少なくとも一の係合部を有しており、前記筐体には、前記係合部と係合して当該装着方向を案内する被係合部と、前記案内手段を前記ＥＬ発光体の発光領域と前記文字盤の光導出領域とが合致した状態で保持する規制部が形成されている。
【００１１】
本発明の照明付き時計によれば、ＥＬ発光体は、案内手段によって筐体内に案内される。ＥＬ発光体が案内手段によって案内されると、ＥＬ発光体の発光領域と文字盤の光導出領域とが合致した状態となり、これにより、ＥＬ発光体の発光領域からの出射光が文字盤の光導出領域から導出され、文字盤全体が例えば暗所内に浮かび上がることになる。
【００１２】
また、本発明の照明付き時計によれば、案内手段を筐体内に装着するとき、案内手段に形成された係合部を筐体内部に形成された被係合部に係合させ、かつ、案内させながら装着する。筐体内に形成された規制部に案内手段が例えば当接した状態になると、案内手段が筐体に対して完全に装着されたことになり、ＥＬ発光体の発光領域と文字盤の光導出領域とが合致した状態に位置決めされることになる。
【００１３】
【発明の実施の形態】
以下、本発明に係る照明付き時計の実施の形態について図面に基づいて説明する。
図１は、本発明に係る照明付き時計の正面図、図２は、図１に示す照明付き時計のＡ−Ａ線に沿う要部断面図、図３は、図１に示す照明付き時計の筐体にＥＬ発光体を装着した状態を説明するための図、図４は、図１に示す照明付き時計の筐体に保持体を装着する様子を説明するための図である。
【００１４】
図１に示す照明付き時計１は、所定電圧の印加によって発光するＥＬ素子からなるＥＬ発光体１０と、ＥＬ発光体１０が装着される前側筐体２０と、前側筐体２０に嵌合して照明付き時計１の筐体を構成する図示しない後側筐体と、筐体内に内蔵されるムーブメント３０と、ムーブメント３０に設けられ指針５０を回転させる指針回転軸４０と、時刻目盛りが付された文字盤６０と、アラーム音の鳴り止めボタンとＥＬ発光体１０の点灯ボタンとを兼用する鳴り止め・点灯ボタン７０とで構成されている。また、ＥＬ発光体１０は、保持体８０を介して前側筐体２０内に装着されている。
【００１５】
ＥＬ発光体１０は、図２および図３に示すように、指針回転軸４０が貫通される孔部１０ａの周縁部に発光領域１０ｂが形成されている。
またＥＬ発光体１０の発光領域１０ｂの図中下側には、外部からの電流をＥＬ発光体１０内部に供給する接続端子部１０ｃが半田取り付け面としてパターニングされている。
【００１６】
前側筐体２０には、図２，３および図４に示すように、後述する保持体８０に形成された係合溝８０ａと係合してＥＬ発光体１０の位置決めを行う突起部２０ａが形成されている。なお、突起部２０ａに替えて、ＥＬ発光体１０の下側の基板部が直接案内される溝部を形成させてもよいが、本実施例の形態では、前側筐体２０の成形金型の作製を容易にし、金型構造をシンプルにするために突起部２０ａを形成させている。
突起部２０ａには、図２および図４から判るように、保持体８０の挿入方向に沿って所定角度だけ傾斜するテーパ面２０１ａが形成されている。
したがって、保持体８０に保持されたＥＬ発光体１０は、突起部２０ａに形成されたテーパ面２０１ａにより、図４に設けられた座標系のうちＸ，Ｙ座標の位置決めが成され、さらに保持体８０が前側筐体２０に強固かつ確実に保持されることになる。
【００１７】
また前側筐体２０には、図４に示すように、後述する保持体８０の底部規制面８０ｃと当接して保持体８０の前側筐体２０に対するＺ方向（高さ方向）の位置を規制する規制部としての規制面２０ｂが形成されている。
さらに前側筐体２０には、図３に示すように、後述するムーブメント３０を前側筐体２０に固定するビス止め用突出部２０ｃが２箇所形成されている。
【００１８】
ムーブメント３０は、前側筐体２０に対して、先に述べた突出部２０ｃを介して筐体背面側からビス止め固定され、所定のパルス信号に基づいて図示しないステッピングモータを駆動して指針回転軸４０を回転させ、これにより、指針５０をいわゆる時計周り方向に回転駆動するように構成されている。なお、アラーム音の発生時間を指示する目安針５５は、指針回転軸４０に軸支されてはいるが、図示しない目安針修正つまみによってその指示位置を自在に変更することが可能である。
【００１９】
文字盤６０は、透光性を有するプラスチック基板に蛍光物質を含有させた動向部材としての蛍光基板からなり、ＥＬ発光体１０の発光領域と当接してＥＬ発光体１０からの光を文字盤６０の周縁部方向に導光し、かつ、前側筐体２０の正面方向へ導出する光導出領域６０ａが形成されている。
【００２０】
光導出領域６０ａはＥＬ発光体１０の発光領域１０ｂと略等しい外形をしており、これにより、互いの領域が指針回転軸４０を中心として正確に合致したときに、ＥＬ発光体１０の発光領域１０ｂからの発光量が文字盤６０の周縁方向および筐体外部へ最大限導出されることになる。
なお、文字盤６０の背面側の光導出領域６０ａ以外の領域には、文字盤６０の内部に侵入した発光領域１０ｂからの光が筐体内側方向に導出されないように、遮光性を有する形成膜からなる遮光領域６０ｂが設けられている。
【００２１】
鳴り止め・点灯ボタン７０は、図１に示すように、時計本体の上部に設けられ、目安針５５にて設定された時間に発音されるアラーム音を一時的に停止させると同時に所定時間だけＥＬ発光体１０を点灯させるスイッチであり、これにより、暗所であってもユーザがアラーム音の発音時刻を容易に視認可能となる。
【００２２】
保持体８０は、上述した前側筐体２０の突起部２０ａにスムーズかつ隙間無く係合できるように弾性部材で形成されている。
図４に示すように、保持体８０の側面部には突起部２０ａと係合する係合溝８０ａが形成されている。
なお、係合溝８０ａには突起部２０ａに形成されたテーパ面２０１ａと対向するためのテーパ面は形成されていない。このため、保持体８０を前側筐体２０の突起部２０ａへ圧入していくと徐々に大きな圧入力が必要となるが、この圧入力に抗して保持体８０を完全に圧入すると、保持体８０は、強固かつ確実に前側筐体２０に保持されることになる。
【００２３】
保持体８０には、図４に示すように、ＥＬ発光体１０を立設させたときにその角端部を受けて、ＥＬ発光体１０のＺ方向（高さ方向）の位置を規制する規制面８０ｂが形成されている。
また保持体８０の規制面８０ｂと対向する底面側には、既に述べた規制面２０ｂと当接して保持体８０の前側筐体２０に対するＺ方向（高さ方向）の位置を規制する底部規制面８０ｃが形成されている。
さらに保持体８０には、ＥＬ発光体１０が保持体８０に保持状態にあるときに、ＥＬ発光体１０の接続端子部１０ｃ部を外部に露出させ、配線作業を可能にする開口部８０ｄが設けられている。
【００２４】
次に、本実施の形態の照明付き時計１の動作について説明する。
例えばユーザが図示しない目安針修正つまみを調節して目安針５５を動かし、起床時刻を例えば「５時」に設定したとする。文字盤６０上の表示時刻が「５時」を指示する状態になると、照明付き時計１に内蔵された図示しない発音装置からアラーム音が発音される。
【００２５】
アラーム音に気づいたユーザは、一旦アラーム音を停止させるため、鳴り止め・点灯ボタン７０を図１中上方から押してアラーム音を停止させる。このとき、同時にＥＬ発光体１０の点灯スイッチも入力状態になることから、ＥＬ発光体１０の発光領域１０ｂが予め設定された数秒間だけ点灯状態となる。
【００２６】
ＥＬ発光体１０の発光領域１０ｂからの光は、文字盤６０に形成された光導出領域６０ａから前側筐体２０の正面側へ導出され、文字盤６０の全面および指針５０を暗所内に浮かび上がらせることになる。
また発光領域１０ｂからの光は、文字盤６０の内部に導光されて文字盤６０の周縁部方向へ広がっていく。このとき、文字盤６０の背面側の光導出領域６０ａ以外の領域には遮光性を有する遮光領域６０ｂが形成されていることから、文字盤６０内部の導光は、前側筐体２０の正面側へ放射され、同様に文字盤６０の全面および指針５０を暗所内に浮かび上がらせることになる。
これにより、ユーザは、アラーム音を停止させると同時に、たとえ暗所であっても表示時刻を正確に視認することできる。なお、アラーム音が発音される前であっても、鳴り止め・点灯ボタン７０を押せば、表示時刻を視認することが可能となる。
【００２７】
次に、本実施の形態の照明付き時計１の前側筐体２０の組み立て方について説明する。
図４に示すようにＥＬ発光体１０を保持体８０に立設する方向に挿入して保持させる。このとき、ＥＬ発光体１０のＺ方向（高さ方向）を規制するため、ＥＬ発光体１０の角端部が規制面８０ｂに対して線接触するまで完全に挿入する。またその挿入状態において、ＥＬ発光体１０の接続端子部１０ｃが保持体８０に設けられた開口部８０ｄに露出した状態となっていることを確認する。
【００２８】
次に、ＥＬ発光体１０が保持された保持体８０の係合溝８０ａを、前側筐体２０の正面側にＥＬ発光体１０の発光領域１０ｂを向けた状態で、前側筐体２０に形成された突起部２０ａに係合させ、徐々に圧入する。保持体８０は、突起部２０ａにテーパ面２０１ａが形成されていることから、係合溝８０ａの内側面と強く係合しながら挿入されることになる。
保持体８０の底部規制面８０ｃと前側筐体２０の規制面２０ｂとが隙間無く当接すると、保持体８０は完全に挿入された状態になる。
ＥＬ発光体１０が以上述べた状態になると、その発光領域１０ｂは、文字盤６０の光導出領域６０ａに対して位置ずれを生じることがなくなる。即ち、発光領域１０ｂと光導出領域６０ａとが完全に合致した状態となる。
【００２９】
前側筐体２０への保持体８０の装着が完了すると、文字盤６０が、ＥＬ発光体１０の発光領域１０ｂ側から前側筐体２０の内側面に嵌め込まれる。
この後、ムーブメント３０が前側筐体２０に設けられたビス止め用突出部２０ｃを介してビス止め固定され、またＥＬ発光体１０の接続端子部１０ｃに導線がはんだ付けされる。さらに、指針回転軸４０に指針５０および目安針５５が装着され、図示しない透明プラスチック蓋が文字盤６０の正面側から嵌め込まれる。
以上により、本実施の形態の照明付き時計１の前側部分が組み立てられたことになる。
【００３０】
以上説明したように、本発明の照明付き時計１によれば、ＥＬ発光体１０を筐体内部に保持して、ＥＬ発光体１０に形成された発光領域１０ｂと、文字盤６０に形成され、ＥＬ発光体１０の発光領域１０ｂからの出射光を前側筐体２０の正面側に導出する光導出領域６０ａとを合致させる保持体８０を設けたので、光導出領域６０ａに対する発光領域１０ｂの位置ずれが生じなくなる。これにより、外観品質が高く、発光量も大きな照明付き時計１が実現できる。
【００３１】
また、本発明の照明付き時計１によれば、保持体８０の両側面には係合部としての係合溝８０ａを設け、前側筐体２０には係合溝８０ａと係合可能な被係合部としての突起部２０ａと、保持体８０をＥＬ発光体１０の発光領域１０ｂと文字盤６０の光導出領域６０ａとを合致した状態で保持する規制面２０ｂとを設けたので、ＥＬ発光体１０が正確に位置決めされるとともに、前側筐体２０に対して保持体８０が着脱可能になるから、照明付き時計１を簡単かつ効率的に組み立てることが可能となる。
【００３２】
さらに、本発明の照明付き時計１によれば、保持体８０に形成された係合溝８０ａに係合する突起部２０ａの側面部には、保持体８０の前側筐体２０への装着方向に沿って傾斜したテーパ面２０１ａが形成されているので、保持体８０の圧入にともなって、保持体８０が強固に前側筐体２０に保持されるとともに、図４に設けた座標系のうちＸ，Ｙ方向の位置決めが確実に成される。その結果、光導出領域６０ａに対する発光領域１０ｂの位置が正確に位置決めされることになる。
【００３３】
本実施の形態では、ＥＬ発光体としてＥＬ発光体１０を使用したが、発光領域内全体から均等に光が出射されるＥＬ発光体であれば、これに限定されない。
また、本実施の形態では、突起部２０ａを前側筐体２０の下方に形成させているが、形成位置はこれに限定されない。つまり、時計の設計仕様に応じて適宜変更することが望ましい。
【００３４】
さらに、本実施例の形態では、規制面２０ｂによってＥＬ発光体１０を保持している保持体８０のＺ方向を規制しているが、突起部２０ａに突出部あるいは凹部からなる係止部を設け、保持体８０の係合溝８０ａ内にそれらに係止される凹部あるいは突出部からなる被係止部を設けて、同様にＺ方向の高さを規制する構成としてもよい。
【００３５】
【発明の効果】
本発明によれば、容易に組み立てることができ、しかも発光量が大きく、また、外観品質にも優れた照明付き時計を実現できる。
【図面の簡単な説明】
【図１】本発明に係る照明付き時計の正面図である。
【図２】図１に示す照明付き時計のＡ−Ａ線に沿う要部断面図である。
【図３】図１に示す照明付き時計の筐体にＥＬ発光体を装着した状態を説明するための図である。
【図４】図１に示す照明付き時計の筐体に保持体を装着する様子を説明するための図である。
【図５】時計本体へのＥＬ発光体および文字盤の取り付けを説明するための図である。
【図６】文字盤とＥＬ発光体とがずれた状態を説明するための図である。
【符号の説明】
１，１００…照明付き時計
１０，１１０…ＥＬ発光体
１０ａ…孔部
１０ｂ…発光領域
１０ｃ…接続端子部
２０，１２０…前側筐体
２０ａ…突起部
２０１ａ…テーパ面
２０ｂ…規制面
２０ｃ…ビス止め用突出部
３０，１３０…ムーブメント
４０，１４０…指針回転軸
５０…指針
５５…目安針
６０，１６０…文字盤
６０ａ…光導出領域
６０ｂ…遮光領域
７０…鳴り止め・点灯ボタン
８０…保持体
８０ａ…係合溝
８０ｂ…規制面
８０ｃ…底部規制面
８０ｄ…開口部
１５０…両面テープ
【図１】
0003595675.tif 000002
【図２】
0003595675.tif 000003
【図３】
0003595675.tif 000004
【図４】
0003595675.tif 000005
【図５】
0003595675.tif 000006
【図６】
0003595675.tif 000007